(57)【要約】【課題】太陽の位置に応じて太陽エネルギー利用装置の傾斜角度を変化可能として、太陽エネルギーの利用効率をより高めることができ、しかも、夏は陽射しをより多く遮り、冬は陽射しをより多く室内に取り込むといった庇の本来の機能を有する可動庇を提供する。【解決手段】太陽エネルギー利用装置（太陽電池パネル３００）を取付けたフレーム２００と、フレーム２００の傾斜角度を変化させる傾斜角度可変装置４００とを有し、傾斜角度可変装置４００は、フレーム２００の傾斜角度を水平面に対して大きくする際には、フレーム２００の後端辺を上方向に移動させながらフレーム２００の先端辺を外壁１２０に近づける方向に移動させ、フレーム２００の傾斜角度を水平面に対して小さくする際には、フレーム２００の後端辺を下方向に移動させながらフレームの先端辺を外壁１２０から遠ざける方向に移動させるようにフレーム２００を駆動する。【選択図】図１
0003156066.tif 000002
【実用新案登録請求の範囲】
【請求項１】
建物の採光面を有する外壁又は外壁の近傍に設けられ、太陽エネルギー利用装置が取り付けられたフレームと、
前記フレームの傾斜角度を変化させる傾斜角度可変装置と、
を有し、
前記傾斜角度可変装置は、前記フレームの傾斜角度を水平面に対して大きくする際には、前記フレームにおける前記外壁に近い側の端辺（後端辺という。）を上方向に移動させながら前記フレームにおける前記後端辺と反対側の端辺（先端辺という。）を前記外壁に近づける方向に移動させ、前記フレームの傾斜角度を水平面に対して小さくする際には、前記フレームの前記後端辺を下方向に移動させながら前記フレームの前記先端辺を前記外壁から遠ざける方向に移動させるように前記フレームを駆動することを特徴とする可動庇。
【請求項２】
請求項１に記載の可動庇において、
前記フレームの傾斜角度が太陽の位置に対して最適傾斜角度となるように前記傾斜角度可変装置を太陽の位置を示す情報に基づいて制御する制御装置をさらに有することを特徴とする可動庇。
【請求項３】
請求項２に記載の可動庇において、
月日を示す情報、時刻を示す情報、当該可動庇を設置する場所の緯度を示す情報、当該可動庇を設置する場所の経度を示す情報及び太陽に対する地球の軌道に関する情報に基づいて前記太陽の位置を示す情報を算出する太陽位置算出装置をさらに有することを特徴とする可動庇。
【請求項４】
請求項２に記載の可動庇において、
太陽の光に基づいて太陽の位置を示す情報を出力する太陽位置検出センサーをさらに有することを特徴とする可動庇。
【請求項５】
請求項２〜４のいずれかに記載の可動庇において、
前記太陽の位置を示す情報と前記最適傾斜角度とを対応付けて記憶している記憶装置をさらに有し、
前記制御装置は、前記太陽の位置を示す情報に対応した前記最適傾斜角度を前記記憶装置から取得することを特徴とする可動庇。
【請求項６】
請求項５に記載の可動庇において、
太陽の位置を示す情報は、月日を示す情報又は時刻を示す情報の少なくとも一方の情報であって、
前記記憶装置は、前記月日を示す情報又は時刻を示す情報の少なくとも一方の情報と前記最適傾斜角度とを対応付けて記憶していることを特徴とする可動庇。
【請求項７】
請求項１〜６のいずれかに記載の可動庇において、
前記制御装置は、前記太陽エネルギー利用装置における太陽エネルギーの利用効率、太陽光の入射量の調節を行う庇としての機能及び前記建物の内部の冷房効率又は暖房効率のどれを優先するかに応じて前記傾斜角度可変装置を制御することを特徴とする可動庇。
【請求項８】
請求項１〜７のいずれかに記載の可動庇において、
前記太陽エネルギー利用装置は、太陽光発電装置、太陽熱発電装置及び太陽熱給湯装置の少なくとも１つであることを特徴とする可動庇。
【請求項９】
請求項１〜８のいずれかに記載の可動庇において、
前記傾斜角度可変装置は、
前記フレームが取り付けられる第１アームと、
一端部が前記第１アームの一端部に回動自在に連結される第２アームと、
前記第１アームと第２アームとのなす角度を１８０度以内の任意の角度に設定可能なアーム駆動手段とを有し、
前記第１アームは、当該第１アームの前記一端部の側が前記フレームの前記先端辺と後端辺との間の所定部分に位置し、当該第１アームの他端部の側が前記フレームの前記先端辺又は前記後端辺に位置するように前記フレームが取り付けられており、前記アーム駆動手段によって前記第１アームと第２アームとのなす角度が１８０度以内の任意の角度に設可されることによって前記フレームの傾斜角度を水平面に対して９０度以内の任意の角度に設定可能とすることを特徴とする可動庇。
【請求項１０】
請求項９に記載の可動庇において、
前記傾斜角度可変装置は、前記第１アームの他端部と前記第２アームの他端部とを結ぶ線が前記外壁に対してほぼ直交する方向となるように設置され、かつ、前記第２アームが前記外壁に近い側となるように設置されることを特徴とする可動庇。
【請求項１１】
請求項９に記載の可動庇において、
前記傾斜角度可変装置は、前記第１アームの他端部と前記第２アームの他端部とを結ぶ線が前記外壁に沿った方向となるように設置され、かつ、前記第２アームが前記外壁に沿った方向における下側となるように設置されることを特徴とする可動庇。
【請求項１２】
請求項１〜８のいずれかに記載の可動庇において、
前記傾斜角度可変装置は、
前記フレームの前記後端辺が上方向又は下方向に移動可能となるように前記後端辺と前記先端辺との間の第１部分を支持する縦方向ガイドレールと、
前記フレームの前記先端辺が前記外壁に近づく方向又は前記外壁から遠ざかる方向に移動可能となるように前記第１部分よりも前記先端辺の側の第２部分を支持する横方向ガイドレールと、
前記フレームを前記縦方向ガイドレール及び横方向ガイドレールに沿って移動させるためのフレーム駆動手段と、
を有することを特徴とする可動庇。
【考案の詳細な説明】
【技術分野】
【０００１】
本考案は、太陽電池パネルなどの太陽エネルギー利用装置を取り付けるための可動庇に関する。
【背景技術】
【０００２】
近年、地球の温暖化を防止するための技術が様々な分野で提案されている。自然エネルギーを利用した発電装置もその一つであり、なかでも太陽電池パネルを用いた太陽光発電装置は、一般家庭や企業などにおいて広く普及しつつある。
【０００３】
太陽光発電装置（太陽電池パネルという。）を一般家庭において設置する場合は、屋根に設置することが多い。しかしながら、太陽電池パネルを屋根に設置すると、太陽電池パネルの重量により、屋根に大きな荷重が加わる。また、太陽電池パネルを屋根に設置する際は、強風などに十分耐えうるようにボルトなどによって強固に固定する必要があるため、屋根の損傷にもつながるといった問題がある。
【０００４】
そこで、建物の南側に空きスペースがある一戸建ての家屋においては、庇に太陽電池パネルを取り付けることも行われている。これによれば、建物の屋根に重量物を載せることなく太陽電池パネルを設置することができる。
【０００５】
ところで、太陽電池パネルを屋根又は庇などに固定的に設置する場合、発電効率をより高めるために、太陽電池パネルを設置する場所の緯度に相当する傾斜角度かそれよりも小さい傾斜角度としておくのが好ましいとされる。例えば、北緯３５度の地点であれば、水平面に対する傾斜角度を３５度かそれよりも小さい傾斜角度とすることが好ましいとされている。
【０００６】
しかしながら、太陽電池パネルの発電効率を高めるためには、太陽光を如何に効率よく太陽電池パネルに取り込むかが極めて重要となる。すなわち、同じ時刻であっても太陽の位置は季節によって大きく異なり、また、一日のうちでも時刻によって太陽の位置は異なる。このため、太陽電池パネルが固定的に設置されている場合には、季節及び時刻によって発電効率に大きな開きが生じるといった問題がある。
【０００７】
このような課題を解決するために、太陽電池パネルの傾斜角度を所定範囲で変化させることができるようにした技術がある（例えば、特許文献１参照。）。
【０００８】
特許文献１に開示された技術（従来技術という。）は、太陽電池パネルを取り付けた庇が建物の外壁に設けられた軸を中心に上下方向に回動可能となっていて、軸を中心に庇を所定角度だけ上下方向に回動させることによって、太陽電池パネルの傾斜角度を可変するというものである。
【先行技術文献】
【特許文献】
【０００９】
【特許文献１】特開２０００−２０４７３５号公報
【考案の概要】
【考案が解決しようとする課題】
【００１０】
上記した従来技術は、例えば、冬季のように太陽の位置が低い場合（太陽光の入射角度が水平面に対して小さい場合）には、太陽電池パネルの傾斜角度が水平面に対して大きくなるように、庇を下方向に回動させる。これにより、太陽光を効率よく太陽電池パネルに取り込むことができる。
【００１１】
しかしながら、従来技術においては、庇を下方向に回動させると、庇の先端が窓などの採光面に覆いかぶさるような状態となり、庇が陽射しを遮ってしまう。特に、冬季においては、昼間でも庇を下方向に回動させた状態となる。冬季において庇を下方向に回動させてしまうと、建物内に入る陽射しの量が庇によって大きく減少してしまうこととなる。建物内に入る陽射しの量が減少すると、陽射しによる暖房効果が低下するため、同じ暖房運転を行っても暖房効率が低下するといった問題がある。
【００１２】
庇は夏季において陽射しを遮り、冬季においては陽射しをより多く室内に取り込むといった機能が庇本来の機能であるが、従来技術においては、特に冬季において、庇本来の機能が失われてしまう。このような課題は、太陽電池パネルに限られるものではなく、その他の太陽エネルギー利用装置（例えば、太陽熱発電装置や太陽熱給湯装置など）を取り付けた可動庇全般について言えることである。
【００１３】
そこで本考案は、太陽の位置に応じて太陽エネルギー利用装置の傾斜角度を変化させることができるようにすることによって、太陽エネルギーの利用効率をより高めることができ、しかも、夏は陽射しをより多く遮り、冬は陽射しをより多く室内に取り込むといった庇の本来の機能を有する可動庇を提供することを目的とする。
【課題を解決するための手段】
【００１４】
［１］本考案の可動庇は、建物の採光面を有する外壁又は外壁の近傍に設けられ、太陽エネルギー利用装置が取り付けられたフレームと、前記フレームの傾斜角度を変化させる傾斜角度可変装置とを有し、前記傾斜角度可変装置は、前記フレームの傾斜角度を水平面に対して大きくする際には、前記フレームにおける前記外壁に近い側の端辺（後端辺という。）を上方向に移動させながら前記フレームにおける前記後端辺と反対側の端辺（先端辺という。）を前記外壁に近づける方向に移動させ、前記フレームの傾斜角度を水平面に対して小さくする際には、前記フレームの前記後端辺を下方向に移動させながら前記フレームの前記先端辺を前記外壁から遠ざける方向に移動させるように前記フレームを駆動することを特徴とする。
【００１５】
本考案の可動庇によれば、フレームの傾斜角度を変化させることができるようにしているので、太陽の位置に応じて太陽エネルギー利用装置の傾斜角度を最適傾斜角度とすることができる。これにより、太陽エネルギー利用装置が太陽光を効率よく取り込むことができ、太陽エネルギーの利用効率をより高めることができる。
【００１６】
また、フレームの傾斜角度を変化させる際のフレームの動きは、フレームの傾斜角度を大きくする際には、フレームの後端辺が上方向に移動しながらフレームの先端辺が外壁に近づく方向に移動し、フレームの傾斜角度を小さくする際には、フレームの後端辺が下方向に移動しながらフレームの先端辺が外壁から遠ざかる方向に移動する。フレームがこのような動作を行うことにより、例えば、冬季において、フレームの傾斜角度を大きくする場合、フレームの先端辺の上下方向の位置は大きくは変化しない。これにより、フレームに取り付けられた太陽エネルギー利用装置が建物の採光面に覆いかぶさることがないので、太陽光を室内に十分に取り込むことができる。
【００１７】
なお、本考案の明細書においては、フレームの先端辺及びフレームの後端辺というのは、フレームの建物の外壁に近い側をフレームの後端辺とし、その反対側をフレームの先端辺としている。また、傾斜角度可変装置は、直接的にはフレームの傾斜角度を変化させるものであるが、フレームと太陽エネルギー利用装置とは一体となっており、両者は同時に傾斜角度が変化するものであるため、フレームの傾斜角度は、太陽エネルギー利用装置の傾斜角度をも表すものである。
【００１８】
［２］本考案の可動庇においては、前記フレームの傾斜角度が太陽の位置に対して最適傾斜角度となるように前記傾斜角度可変装置を太陽の位置を示す情報に基づいて制御する制御装置をさらに有することが好ましい。
このように、傾斜角度可変装置を太陽の位置を示す情報に基づいて制御することによって、太陽の位置に応じた最適傾斜角度の設定を自動的に行うことができる。
【００１９】
［３］本考案の可動庇においては、月日を示す情報、時刻を示す情報、当該可動庇を設置する場所の緯度を示す情報、当該可動庇を設置する場所の経度を示す情報及び太陽に対する地球の軌道に関する情報に基づいて前記太陽の位置を示す情報を算出する太陽位置算出装置をさらに有することが好ましい。
【００２０】
このような構成とすることにより、当該可動庇を設置する場所において、月日及び時刻に対応した適切な太陽の位置を示す情報を得ることができ、それによって、月日及び時刻に応じた最適傾斜角度を取得することができる。なお、本明細書においては、「月日」は、例えば、「１月」、「２月」、・・・というように「月」のみを指す場合もあり、また、例えば、１月１日、２月１日というように各月における「日」を含む場合もある。
【００２１】
［４］本考案の可動庇においては、太陽の光に基づいて太陽の位置を示す情報を出力する太陽位置検出センサーをさらに有することもまた好ましい。
【００２２】
これは、太陽の位置を示す情報を太陽位置検出センサーによって検出するものであり、このような太陽位置検出センサーを用いることによっても太陽の位置を示す情報を的確に取得することができる。これによれば、刻々と変化する太陽の位置に応じた最適傾斜角度を取得することができ、太陽の位置に追従して連続的にフレームの傾斜角度を変化させることが可能となる。また、連続的ではなく、所定の月日ごと又は所定の時刻ごとに太陽位置検出センサーで検出された太陽の位置を示す情報によって、所定の月日ごと又は所定の時刻ごとにフレームの傾斜角度を変化させることも可能である。なお、太陽位置検出センサーとしては、太陽の光を検出する光センサーなどを用いることができる。
【００２３】
［５］本考案の可動庇においては、前記太陽の位置を示す情報と前記最適傾斜角度とを対応付けて記憶している記憶装置をさらに有し、前記制御装置は、前記太陽の位置を示す情報に対応した前記最適傾斜角度を前記記憶装置から取得することが好ましい。
このような構成とすることによって、制御装置は記憶装置を参照するだけで、現時点における最適傾斜角度を取得することができ、フレームの傾斜角度を最適傾斜角度に容易に設定することができる。
【００２４】
［６］本考案の可動庇においては、太陽の位置を示す情報は、月日を示す情報又は時刻を示す情報の少なくとも一方の情報であって、前記記憶装置は、前記月日を示す情報又は時刻を示す情報の少なくとも一方の情報と前記最適傾斜角度とを対応付けて記憶していることが好ましい。
【００２５】
このように、月日を示す情報又は時刻を示す情報の少なくとも一方の情報と前記最適傾斜角度とを対応付けて記憶装置に記憶させておくことにより、所定の月日に対応した最適傾斜角度を容易に取得することができ、また、一日のうちの各時刻に対応した最適傾斜角度をも容易に取得することができる。
【００２６】
［７］本考案の可動庇においては、前記制御装置は、前記太陽エネルギー利用装置における太陽エネルギーの利用効率、太陽光の入射量の調節を行う庇としての機能及び前記建物の内部の冷房効率又は暖房効率のどれを優先するかに応じて前記傾斜角度可変装置を制御することが好ましい。
【００２７】
このように、太陽エネルギー利用装置における太陽エネルギーの利用効率、庇としての機能及び建物の内部の冷房効率又は暖房効率のどれを優先するかに応じて傾斜角度可変装置を制御することにより、フレームの傾斜角度をそれぞれの目的に応じた最適傾斜角度とすることができ、それぞれの目的を効率よく達成することができる。
【００２８】
［８］本考案の可動庇においては、前記太陽エネルギー利用装置は、太陽光発電装置、太陽熱発電装置及び太陽熱給湯装置の少なくとも１つであることが好ましい。
このように、太陽エネルギー利用装置としては、太陽光発電装置、太陽熱発電装置及び太陽熱給湯装置（太陽熱を利用した給湯装置）のいずれをも用いることができる。また、本考案の可動庇は、これらを組み合わせて使用する場合にも適用することができる。
【００２９】
［９］本考案の可動庇においては、前記傾斜角度可変装置は、前記フレームが取り付けられる第１アームと、一端部が前記第１アームの一端部に回動自在に連結される第２アームと、前記第１アームと第２アームとのなす角度を１８０度以内の任意の角度に設定可能なアーム駆動手段とを有し、前記第１アームは、当該第１アームの前記一端部の側が前記フレームの前記先端辺と後端辺との間の所定部分に位置し、当該第１アームの他端部の側が前記フレームの前記先端辺又は前記後端辺に位置するように前記フレームが取り付けられており、前記アーム駆動手段によって前記第１アームと第２アームとのなす角度が１８０度以内の任意の角度に設可されることによって前記フレームの傾斜角度を水平方向に対して９０度以内の任意の角度に設定可能とすることが好ましい。
【００３０】
傾斜角度可変装置をこのような構造とすることにより、フレームの傾斜角度を水平方向に対して大きくする際には、フレームの後端辺を上方向に移動させながらフレームの先端辺を外壁に近づける方向に移動させ、フレームの傾斜角度を水平方向に対して小さくする際には、フレームの後端辺を下方向に移動させながらフレームの先端辺を外壁から遠ざける方向に移動させるようにフレームを駆動することができる。
【００３１】
［１０］本考案の可動庇においては、前記傾斜角度可変装置は、前記第１アームの他端部と前記第２アームの他端部とを結ぶ線が前記外壁に対してほぼ直交する方向となるように設置され、かつ、前記第２アームが前記外壁に近い側となるように設置されることが好ましい。
【００３２】
傾斜角度可変装置をこのように設置することによって、本考案の可動庇を一般的な一戸建ての建物に設置することができる。これは、特に、一戸建ての建物の南側に空きスペースが存在するような場合、その空きスペースに太陽エネルギー利用装置を取り付けた庇を設けるような場合を想定したものである。
【００３３】
［１１］本考案の可動庇においては、前記傾斜角度可変装置は、前記第１アームの他端部と前記第２アームの他端部とを結ぶ線が前記外壁に沿った方向となるように設置され、かつ、前記第２アームが前記外壁に沿った方向における下側となるように設置されることも好ましい。
【００３４】
傾斜角度可変装置をこのように設置することによって、学校、病院及び役所などの建物（ビルディング）の外壁においても本考案の可動庇を取り付けることができる。
【００３５】
［１２］本考案の可動庇においては、前記傾斜角度可変装置は、前記フレームの前記後端辺が上方向又は下方向に移動可能となるように前記後端辺と前記先端辺との間の第１部分を支持する縦方向ガイドレールと、前記フレームの前記先端辺が前記外壁に近づく方向又は前記外壁から遠ざかる方向に移動可能となるように前記第１部分よりも前記先端辺の側の第２部分を支持する横方向ガイドレールと、前記フレームを前記縦方向ガイドレール及び横方向ガイドレールに沿って移動させるためのフレーム駆動手段とを有する構成であってもよい。
【００３６】
傾斜角度可変装置をこのような構成とすることによっても、フレームの傾斜角度を水平方向に対して大きくする際には、フレームの後端辺を上方向に移動させながらフレームの先端辺を外壁に近づける方向に移動させ、フレームの傾斜角度を水平方向に対して小さくする際は、フレームの後端辺を下方向に移動させながらフレームの先端辺を外壁から遠ざける方向に移動させるようにフレームを駆動することができる。
【図面の簡単な説明】
【００３７】
【図１】実施形態１に係る可動庇１０について説明するための図である。
【図２】実施形態１に係る可動庇１０におけるユニットＵ１〜Ｕ３のうちの１つのユニットＵ１を取り出して拡大して示す図である。
【図３】傾斜角度可変装置４００の一例を示す図である。
【図４】傾斜角度可変装置４００によってフレーム２００の傾斜角度を６０度とした場合を示す図である。
【図５】実施形態１に係る可動庇１０の動作と従来の一般的な可動庇の動作との比較を示す図である。
【図６】１月〜１２月の各月日における最適傾斜角度を示す図である。
【図７】最適傾斜角度に設定されたフレーム２００の傾斜状態の例を模式的に示す図である。
【図８】ある１日のうちの日の出の時刻から日の入りの時刻までの各時刻における最適傾斜角度を概略的に示す図である。
【図９】実施形態２に係る可動庇２０におけるユニットＵ１〜Ｕ３のうちの１つのユニットを取り出して拡大して示す図である。
【図１０】実施形態３に係る可動庇３０を説明するための図である。
【図１１】実施形態３に係る可動庇３０においてフレーム２００の傾斜角度を約２５度とした場合を示す図である。
【図１２】実施形態４に係る可動庇４０において用いられる傾斜角度可変装置５００を説明するための図である。
【考案を実施するための形態】
【００３８】
以下、本考案の実施形態について説明する。なお、本考案の実施形態においては、太陽エネルギー利用装置としては、太陽光発電装置としての太陽電池パネルを例にとって説明する。また、本考案の各実施形態においては、各実施形態に係る可動庇の設置場所は北半球であるとする。
【００３９】
［実施形態１］
図１は、実施形態１に係る可動庇１０について説明するための図である。図１（ａ）は斜視図であり、図１（ｂ）は側面図である。実施形態１に係る可動庇１０は、建物１００の採光面１１０を有する外壁１２０又は外壁１２０の近傍（建物１００の軒先とする。）に設けられ、傾斜角度を変化させることができるフレーム２００と、フレーム２００を支持する骨組み構造のフレーム支持部材２５０及びフレーム支持部材２５０を複数個所で支持する複数の支柱２６０と、フレーム２００に取り付けられた太陽電池パネル３００と、フレーム２００の傾斜角度を変化させる傾斜角度可変装置４００と、フレーム２００の傾斜角度が最適傾斜角度となるように傾斜角度可変装置４００を太陽の位置を示す情報（太陽位置情報という。）に基づいて制御する制御装置６００（図２参照。）と、太陽位置情報とフレーム２００の最適傾斜角度とを対応付けて記憶している記憶装置７００（図２参照）と、当該可動庇１０を設置する場所における太陽位置情報を算出する太陽位置算出装置９００（図２参照。）とを有している。
【００４０】
なお、可動庇１０が設置される建物１００の外壁１２０は垂直であって、当該外壁１２０に直交する方向（庇の張り出し方向）をｘ軸とし、水平面上においてｘ軸に直交する方向をｙ軸とし、垂直方向をｚ軸として説明する。
【００４１】
また、「最適傾斜角度」というのは、太陽光を最も効率よく太陽電池パネル３００に取り込むことのできる傾斜角度であり、理想的には、太陽光の入射角度が太陽電池パネル３００に対して、ほぼ９０度となるようなフレーム２００の傾斜角度である。また、フレーム２００の傾斜角度は、水平面に対する傾斜角度であるとする。
【００４２】
傾斜角度可変装置４００は、フレーム２００の傾斜角度を大きくする際は、フレーム２００の後端辺（外壁１２０に近い側の端辺）２２０を上方向に移動させながらフレーム２００の先端辺２１０を外壁１２０に近づける方向に移動させ、フレーム２００の傾斜角度を小さくする際は、フレーム２００の後端辺２２０を下方向に移動させながらフレーム２００の先端辺２１０を外壁１２０から遠ざける方向に移動させるようにフレーム２００を駆動するものである。傾斜角度可変装置４００の構成及びその動作については後述する。なお、実施形態１に係る可動庇１０においては、上方向又は下方向は垂直方向であるとし、外壁１２０に近づける方向又は外壁１２０から遠ざける方向は水平方向であるとする。
【００４３】
また、傾斜角度可変装置４００は、直接的にはフレーム２００の傾斜角度を変化させるものであるが、フレーム２００と太陽電池パネル３００とは一体的に動作するため、フレーム２００の傾斜角度は、太陽電池パネル３００の傾斜角度をも表すものであるとする。したがって、以下では、太陽電池パネル３００の傾斜角度ともいう。
【００４４】
また、太陽位置算出装置９００は、日付を示す情報、時刻を示す情報、当該可動庇を設置する場所の緯度を示す情報、経度を示す情報及び太陽に対する地球の軌道に関する情報とに基づいて当該可動庇を設置する場所における太陽の位置を算出するものであり、算出された太陽の位置は、当該可動庇を設置する場所において、太陽の位置を高精度に表すものとなる。なお、経度を示す情報を用いることにより、経度の違いによる太陽の位置と時刻との関係をより高精度に求めることができる。
【００４５】
太陽位置算出装置９００は、例えば、パーソナルコンピュータなどにその機能を持たせることができる。なお、制御装置６００及び記憶装置７００もパーソナルコンピュータ（ＰＣという。）にそれぞれの機能を持たせることができる。また、記憶装置７００は、ＰＣに搭載されているハードディスクであってもよく、また、ＣＤ（コンパクトディスク）などＰＣが読み取り可能な記憶媒体であってもよい。
【００４６】
また、太陽位置算出装置９００によって算出された太陽の位置は、太陽位置情報として出力される。太陽位置算出装置９００から出力された太陽位置情報は、制御装置６００及び記憶装置７００のいずれか又は両方に与えることができるようになっている。
【００４７】
太陽位置算出装置９００から出力された太陽位置情報が制御装置６００に与えられた場合は、制御装置６００は、太陽位置算出装置９００から与えられた太陽位置情報に基づいて最適傾斜角度を求める。これは、例えば、現時点における最適傾斜角度をリアルタイムで求める場合であり、この場合、例えば、当日の日付、時刻、当該可動庇を設置する場所の緯度、経度及び太陽に対する地球の軌道に関する情報を太陽位置算出装置９００に与える。なお、当該可動庇を設置する場所の緯度、経度及び太陽に対する地球の軌道に関する情報などは固定情報として予め太陽位置算出装置９００に与えておくようにしてもよい。
【００４８】
これにより、太陽位置算出装置９００においては、当日の日付け（何月何日）と現時点の時刻に対応した太陽位置情報を算出し、算出した太陽位置情報を制御装置６００に与える。制御装置６００では、太陽位置算出装置９００から与えられた太陽位置情報に基づいて最適傾斜角度を算出する。なお、制御装置６００が太陽位置情報に基づいて最適傾斜角度を算出する際は、太陽電池パネルが真南の向きである場合以外は、当該太陽電池パネルの方角を考慮して最適傾斜角度を算出する。
【００４９】
また、太陽位置算出装置９００によって所定の月日及び時刻に対応する太陽位置情報を予め算出し、算出した太陽位置情報に基づいた最適傾斜角度を設定しておき、所定の月日及び時刻と最適傾斜角度とを対応付けて記憶装置７００に記憶させておくこともできる。この場合は、制御装置６００は、記憶装置７００を参照することにより、当該月日及び時刻に対応する最適傾斜角度を取得することができる。なお、所定の月日としては、一年の３６５日分のすべてであってもよく、また、各月ごとであってもよく、各季節ごとあってもよい。
【００５０】
また、制御装置６００は、太陽位置算出装置９００からの太陽位置情報に基づいて最適傾斜角度を算出する機能、月日及び時刻に対応する最適傾斜角度を記憶装置７００から取得する機能の他に、算出又は取得した最適傾斜角度に基づいて傾斜角度可変装置４００を制御する機能をも有している。
【００５１】
最適傾斜角度に基づいて傾斜角度可変装置４００を制御する機能としては、現時点におけるフレーム２００の傾斜角度と算出又は取得した最適傾斜角度との差分を求め、求めた差分だけフレーム２００の傾斜角度を変化させるに必要な制御信号を生成して、生成した制御信号によって傾斜角度可変装置４００を制御するといった機能を例示することができる。なお、現時点におけるフレーム２００の傾斜角度は、フレーム２００の現時点の傾斜角度を検出する角度検出装置（図示せず。）などから取得することができる。例えば、角度検出装置から得られた現時点におけるフレーム２００の傾斜角度が３５度であって、算出又は取得した最適傾斜角度が４５度であったとすると、その差分（１０度）だけフレーム２００の傾斜角度を大きくするような制御信号を生成して、生成した制御信号によって傾斜角度可変装置４００を制御する。
【００５２】
また、差分だけフレームの傾斜角度を大きくするような制御信号によって傾斜角度可変装置４００を制御するのではなく、角度検出装置からの角度情報を監視しながらフレーム２００の傾斜角度が算出又は取得した最適傾斜角度となるように傾斜角度可変装置４００を制御するようにしてもよい。例えば、角度検出装置から得られた現時点におけるフレーム２００の傾斜角度が３５度であって、算出又は取得した最適傾斜角度が４５度であったとすると、角度検出装置からの角度情報が４５度に達するまで傾斜角度可変装置４００を制御する。
【００５３】
また、可動庇１０は、３つのユニットＵ１〜Ｕ３によって構成されており、各ユニットＵ１〜Ｕ３には、９枚の太陽電池パネル３００が設けられているものとする。また、傾斜角度可変装置４００は、ユニットＵ１〜Ｕ３ごとに設けられているものとする。
【００５４】
図２は、実施形態２に係る可動庇１０におけるユニットＵ１〜Ｕ３のうちの１つのユニットを取り出して拡大して示す図である。図２においては、ユニットＵ１について示されているが、他のユニットＵ２，Ｕ３も同様の構成となっている。
【００５５】
ユニットＵ１は、図２に示すように、９枚の太陽電池パネル（太陽電池パネル３００，３００，・・・）と、９枚の太陽電池パネルを取り付けるためのフレーム２００と、傾斜角度可変装置４００と、制御装置６００と、記憶装置７００とを有している。
【００５６】
フレーム２００は、矩形の枠形状をなし、その内側には、９枚の太陽電池パネルを支持するための複数の支持部材（図示せず）が設けられるとともに、中央部には中央部材２４０が設けられている。中央部材２４０は、フレーム２００のｘ軸に沿って設けられており、傾斜角度可変装置４００の駆動力を受けてユニットＵ１全体を動かす部材である。
【００５７】
なお、制御装置６００及び記憶装置７００は、他のユニットＵ２，Ｕ３に対しても共用となっている。そして、各ユニットＵ１〜Ｕ３に対応する傾斜角度可変装置４００は、各ユニットＵ１〜Ｕ３の各フレーム２００が同じ傾斜角度となるように制御装置６００によって制御される。
【００５８】
図３は、傾斜角度可変装置４００の一例を示す図である。傾斜角度可変装置４００は、自動車用などのジャッキとしてとして一般的に用いられているパンタグラフジャッキと類似した構造を有している。
【００５９】
傾斜角度可変装置４００は、図３に示すように、当該傾斜角度可変装置４００を側面から見たときに、底辺と２つの斜辺を有する三角形状（二等辺三角形とする。）を形成可能であって、２つの斜辺のうちの一方の斜辺に対応する位置に設けられ、フレームが固定される第１アーム４１０と、２つの斜辺のうちの他方の斜辺に対応する位置に設けられる第２アーム４２０と、三角形の底辺に対応する位置に設けられ、第１アーム４１０と第２アーム４２０とのなす角度αを１８０度以内の任意の角度に設定可能なアーム駆動手段４３０とを有している。なお、第１アーム４１０の一端部（二等辺三角形の頂点側端部）と第２アーム４２０の一端部（二等辺三角形の頂点側端部）は、回動自在に連結されている。
【００６０】
アーム駆動手段４３０は、軸方向における中心軸を中心に時計方向又は反時計方向に回転可能なネジ棒４３１と、ネジ棒４３１を時計方向又は反時計方向に回転させるモータ４３２と、モータ４３２の回転を減速してネジ棒４３１に伝達する動力伝達部４３３とを有している。
【００６１】
そして、第１アーム４１０の他端部（二等辺三角形の底辺側端部）４１１は、ネジ棒４３１の先端側４３１ａ側に螺合され、第２アーム４２０の他端部（二等辺三角形の底辺側端部）４２１は、ネジ棒４３１の後端側４３１ｂに取り付けられている。なお、第２アーム４２０の他端部４２１は、ネジ棒４３１に沿った方向の動きが規制された状態で、回動自在にネジ棒４３１の後端側４３１ｂに取り付けられている。
【００６２】
傾斜角度可変装置４００がこのような構成となっているため、ネジ棒４３１が時計方向又は反時計方向に回転することによって、第１アーム４１０がネジ棒４３１に沿ってｘ方向又はｘ’方向に移動し、それによって第１アーム４１０と第２アーム４２０とのなす角度αが変化する。
【００６３】
例えば、ネジ棒４３１が時計方向に回転することによって、第１アーム４１０が矢印ｘ方向に移動し、それによって第１アーム４１０及び第２アーム４２０のなす角度αが小さくなり、逆に、ネジ棒４３１が反時計方向に回転することによって、第１アーム４１０が矢印ｘ’方向に移動し、それによって第１アーム４１０及び第２アーム４２０のなす角度αが大きくなる。
【００６４】
なお、ネジ棒４３１は、フレーム２００の中央部材２４０に対応する位置の平面（水平面とする。）に設けられている。また、ネジ棒４３１の長さは、フレーム２００の後端辺２２０から先端辺２１０までの長さにほぼ等しい長さを有している。
【００６５】
また、第１アーム４１０にはフレーム２００が固定される。具体的には、フレーム２００の中央部材２４０が第１アーム４１０に固定されている。そして、第１アーム４１０の一端部（二等辺三角形の頂点側端部）の側がフレーム２００の先端辺２１０と後端辺２２０とのほぼ中間に位置し、第１アーム４１０の他端部４１１の側がフレーム２００の先端辺２１０又は後端辺２２０（図３においては先端辺２１０）に位置するようにフレーム２００が取り付けられている。
【００６６】
また、傾斜角度可変装置４００は、制御装置６００によって制御されるものである。すなわち、制御装置６００からの制御信号に基づいてモータ４３２が回転し、モータ４３２の回転力が動力伝達部４３３を介してネジ棒４３１に伝達される。それによって、ネジ棒４３１が時計方向又は反時計方向に回転し、第１アーム４１０及び第２アーム４２０のなす角度αが変化する。なお、第１アーム４１０にはフレーム２００が固定されているため、第１アーム４１０及び第２アーム４２０のなす角度αが変化することによってフレーム２００の傾斜角度θ（水平面に対する傾斜角度）が変化する。
【００６７】
具体的には、ネジ棒４３１が時計方向に回転することにより、第１アーム４１０及び第２アーム４２０のなす角度αが小さくなり、それによって、フレーム２００の傾斜角度θが大きくなる。また、逆に、ネジ棒４３１が反時計方向に回転することにより、第１アーム４１０及び第２アーム４２０のなす角度αが大きくなり、それによって、フレーム２００の傾斜角度θが小さくなる。
【００６８】
図４は、傾斜角度可変装置４００によってフレーム２００の傾斜角度θを６０度とした場合を示す図である。なお、図４においては、フレーム２００と傾斜角度可変装置４００のみが示されている。図４は傾斜角度をθを６０度とした場合であるが、傾斜角度可変装置４００によってフレーム２００の傾斜角度θを所定範囲（ほぼ０度からほぼ９０度）まで自在に変化させることができる。
【００６９】
なお、傾斜角度θを変化させる際のフレーム２００の動きは、フレーム２００の後端辺２２０が矢印ｚ−ｚ’方向に移動しながら先端辺２１０がネジ棒４３１に沿って矢印ｘ−ｘ’方向に移動する。すなわち、フレーム２００の先端辺２１０は常にネジ棒４３１の存在する平面（水平面）上を移動することとなるため、フレーム２００の先端辺２１０における上下方向（矢印ｚ−ｚ’方向）の位置は変化しない。
【００７０】
例えば、ほぼ水平（傾斜角度θがほぼ０度）の状態となっているフレーム２００が、図４の状態に変化する場合においては、フレーム２００の後端辺２２０が図４における矢印ｚ方向にせり上がりながらフレーム２００の先端辺２１０がネジ棒に沿って矢印ｘ方向に移動して行く。
【００７１】
フレーム２００がこのような動作を行うことにより、例えば、冬季において、フレーム２００の傾斜角度θが大きくなった場合であっても、フレーム２００の先端辺２１０の上下方向（矢印ｚ−ｚ’方向）の位置は変化せず、フレーム２００の先端辺２１０は、常にネジ棒４３１と同じ平面上に存在する。これにより、建物１００の採光面１１０に入る太陽光が太陽電池パネル３００によって遮られてしまうということがなく、太陽光を室内に十分に取り込むことができる。また、フレーム２００が建物１００に近づいた状態となることによって、より多くの太陽光を室内に取り込むことができる。
【００７２】
図５は、実施形態１に係る可動庇１０の動作と従来の一般的な可動庇の動作との比較を示す図である。なお、従来の一般的な可動庇（可動庇５０とする。）としては、可動庇５０の後端辺に設けられた軸５２を支点に可動庇５０が矢印ａ−ａ’方向に所定角度だけ回動可能となっているものを例示している。このような可動庇５０は、軸５２を支点にして可動庇５０を回動させることによって、その傾斜角度θを所定範囲で変化させることができる。なお、図５においては、実施形態１に係る可動庇１０及び従来の一般的な可動庇５０の傾斜角度θをそれぞれ６０度とした場合を例示している。
【００７３】
可動庇１０は、図５（ａ）に示すように、可動庇１０の先端辺（フレーム２００の先端辺２１０）がネジ棒４３１の存在する平面上を移動するため、可動庇１０が採光面１１０に覆いかぶさることがなく、採光面１１０から太陽光を室内に十分に取り込むことができる。なお、フレーム支持部材２５０は骨組み構造となっているので、陽射しはフレーム支持部材２５０を通過して室内に十分入り込んでくる。
【００７４】
一方、従来の一般的な可動庇５０は、図５（ｂ）に示すように、可動庇５０の後端辺側の軸５２を支点に回動することによって傾斜角度θを変化させるものである。図５（ｂ）に示すように、可動庇５０の傾斜角度θ（この場合、θ＝６０度）を大きくした場合、可動庇５０が採光面１１０に覆いかぶさってしまい、採光面１１０に入射する太陽光の多くを遮ってしまう。なお、図５（ｂ）においては極端な例が示されているが、可動庇５０の後端辺側の軸５２を支点に回動するような構造の可動庇においては、可動庇の傾斜角度θをある程度大きくすると、採光面１１０に入射する太陽光の多くを遮ってしまうことは否めない。
【００７５】
次に、フレーム２００の傾斜角度θの具体的な制御例について説明する。制御装置６００は、フレーム２００の傾斜角度θが太陽の位置に対して最適傾斜角度となるように傾斜角度可変装置４００を太陽の位置を示す情報に基づいて制御する。このとき、太陽位置情報と最適傾斜角度とを対応付けて記憶装置７００に記憶させておき、制御装置６００は、太陽位置情報に対応した最適傾斜角度を記憶装置７００から取得し、取得した最適傾斜角度に基づいて傾斜角度可変装置４００を制御する。
【００７６】
なお、太陽位置情報は、月日を示す情報又は時刻を示す情報の少なくとも一方の情報とする。したがって、記憶装置７００は、月日を示す情報又は時刻を示す情報の少なくとも一方の情報と最適傾斜角度とを対応付けて記憶している。
【００７７】
ここでは、まず、月日を示す情報と最適傾斜角度とを対応付けて記憶装置７００に記憶させておく場合について説明する。この場合、１月から１２月までのすべての日（１月１日、１月２日、・・・、１２月３１日の３６５日分）に対応した最適傾斜角度を記憶装置７００に記憶させておくようにしてもよいが、各月に対応した最適傾斜角度及び各季節（例えば、各季節を代表する月）に対応した最適傾斜角度を記憶させておくことも可能である。
【００７８】
図６は、１月〜１２月の各月日における最適傾斜角度を示す図である。図６に示す最適傾斜角度は、太陽位置算出装置９００によって算出された太陽位置情報に基づいて設定されたものであるとする。なお、図６においては、実施形態１に係る可動庇１０を北緯３５度の地点に設置した場合であり、当該地点における各月日の正午の最適傾斜角度が示されている。ただし、図６に示す最適傾斜角度は一例を示すものであって厳密な値ではない。また、図６においては、各月の日（１日〜３０日又は３１日）は詳細には示されていない。
【００７９】
また、「最適傾斜角度」というのは、当該地点の正午において、太陽光を最も効率よく太陽電池パネル３００に取り込むことのできる傾斜角度である。すなわち、当該地点の正午において、太陽光の太陽電池パネル３００に対する入射角度がほぼ９０度となるようなフレーム２００の傾斜角度である。
【００８０】
図６に示すように、冬季（１２月〜２月）においては、最適傾斜角度は大きく、特に、冬至の頃の正午においては、最適傾斜角度は約５９度である。このため、冬至の頃の正午においては、太陽電池パネル３００の傾斜角度を約５９度とすることにより、太陽光の太陽電池パネル３００に対する入射角度をほぼ９０度とすることができる。また、夏季（６月〜８月）においては、最適傾斜角度は小さく、特に、夏至の頃の正午においては、最適傾斜角度は約１２度である。このため、夏至の頃の正午においては、太陽電池パネル３００の傾斜角度を約１２度とすることにより、太陽光の太陽電池パネル３００に対する入射角度をほぼ９０度とすることができる。
【００８１】
また、春季（３月〜５月）及び秋季（９月〜１１月）においては、最適傾斜角度は冬季と夏季の中間であり、例えば、春分の日及び秋分の日の頃の正午においては、最適傾斜角度は約３５度である。このため、春分の日及び秋分の日の頃の正午においては、太陽電池パネル３００の傾斜角度を約３５度とすることにより、太陽光の太陽電池パネル３００に対する入射角度をほぼ９０度とすることができる。
【００８２】
図６に示すような各月日に対応する最適傾斜角度を記憶装置７００に記憶させておく。そして、制御装置６００は、例えば、月が変わるごとに記憶装置７００から当該月に対応する最適傾斜角度を取得して、取得した最適傾斜角度に対応する制御信号を設定し、設定した制御信号を傾斜角度可変装置４００に与える。具体的には、例えば、当該月の初日（１日）の午前零時に、制御装置６００が記憶装置７００から当該月に対応する最適傾斜角度（当該月の初日の正午における最適傾斜角度）を取得して、取得した最適傾斜角度に対応する制御信号を傾斜角度可変装置４００に与える。
【００８３】
これにより、傾斜角度可変装置４００は、制御装置６００から与えられた制御信号に基づいてフレーム２００の傾斜角度を変化させる。具体的には、制御装置６００から与えられた制御信号に基づいてモータ４３２を駆動し、それによって、ネジ棒４３１を時計方向又は反時計方向に回転させて、フレーム２００の傾斜角度を変化させる。この場合、当該月の１ヶ月間においては、フレーム２００は当該月の初日に対応する最適傾斜角度が保持される。なお、ここでは、当該月の最適傾斜角度として、当該月の初日の正午における最適傾斜角度を用いた場合を例示したが、これに限られるものではなく、例えば、当該月の半ば（例えば、１５日又はその前後）における最適傾斜角度を当該月の最適傾斜角度としてもよい。
【００８４】
なお、上記した例では、月が変わるごとに最適傾斜角度を設定するようにしたが、日付けが変わるごと、あるいは、季節が変わるごとに行うようにしてもよい。日付けが変わるごとに最適傾斜角度を取得する場合には、例えば、当日の午前零時に、制御装置６００が記憶装置７００から当該日付けに対応する最適傾斜角度（当該日付けにおける正午の最適傾斜角度）を取得して、取得した最適傾斜角度に対応する制御信号を傾斜角度可変装置４００に与える。これにより、傾斜角度可変装置４００は、制御装置６００から与えられた制御信号に基づいてフレーム２００の傾斜角度を変化させる。この場合、当日においては、フレーム２００は当該日付けに対応する最適傾斜角度が一日中保持される。
【００８５】
また、季節ごとに最適傾斜角度を設定する場合には、例えば、季節が大きく変わる月日（例えば、春分の日、夏至、秋分の日及び冬至など）ごとに、制御装置６００が記憶装置７００から当該月日に対応する最適傾斜角度（当該月日における正午の最適傾斜角度）を取得して、取得した最適傾斜角度に対応する制御信号を傾斜角度可変装置４００に与え、傾斜角度可変装置４００は、制御装置６００から与えられた制御信号に基づいてフレーム２００の傾斜角度を変化させる。
【００８６】
この場合、当該季節においては、フレーム２００は当該季節において設定された傾斜角度が当該季節の間（例えば、春であれば春分の日から夏至まで）、保持される。なお、季節が大きく変わる月日の設定は、春分の日（秋分の日）、夏至及び冬至に限られるものではなく、実際の一日の昼の長さや太陽光の強さの変化に応じて、種々設定可能である。また、当該季節の最適傾斜角度として、当該季節が大きく変わる月日の正午における最適傾斜角度を用いた場合を例示したが、これに限られるものではなく、例えば、当該季節のほぼ中間（例えば、秋であれば１０月１５日又はその前後）における最適傾斜角度を当該季節の最適傾斜角度としてもよい。
【００８７】
図７は、最適傾斜角度に設定されたフレーム２００の傾斜状態の例を模式的に示す図である。なお、図７は図面を簡単化するために、太陽電池パネル３００を含むフレーム２００のみが図示されており、傾斜角度可変装置４００などの図示は省略されている。図７（ａ）は春分の日及び秋分の日の正午における最適傾斜角度に設定されたフレーム２００の傾斜状態を示し、図７（ｂ）は夏至の正午における最適傾斜角度に設定されたフレーム２００の傾斜状態を示し、図７（ｃ）は冬至の正午における最適傾斜角度に設定されたフレームの傾斜状態を示している。
【００８８】
図７に示すように、春分の日及び秋分の日においては、フレーム２００の傾斜角度θが３５度に設定され、夏至においては、フレーム２００の傾斜角度θが１２度に設定され、冬至においては、フレーム２００の傾斜角度θが５９度に設定される。
【００８９】
以上は、月日を示す情報と最適傾斜角度とを対応付けて記憶装置７００に記憶させておき、制御装置６００が月日を示す情報に基づいて最適傾斜角度を記憶装置７００から取得する例を説明したが、記憶装置７００には、各々の月日における一日の各時刻ごとの最適傾斜角度を記憶させておくこともできる。
【００９０】
図８は、ある１日のうちの日の出の時刻から日の入りの時刻までの各時刻における最適傾斜角度を概略的に示す図である。図８（ａ）は春分の日又は秋分の日の場合を示し、図８（ｂ）は夏至の場合を示し、図８（ｃ）は冬至の場合を示している。なお、図８においても、実施形態１に係る可動庇１０を北緯３５度の地点に設置した場合が示されている。また、日の出及び日の入りの時刻はおおよその時刻であり、また、正午以外の各時刻における最適傾斜角度もおおよその値である。また、図８においては、分（１分〜５９分）は詳細には示されていない。
【００９１】
図８に示すように、それぞれの季節によって、一日の時刻における最適傾斜角度が異なる。いずれの季節の場合も、日の出の直後及び日の入りの直前においては、太陽光は水平面に対して小さい角度で入射し、正午には太陽の位置は最も高くなる。したがって、太陽に高さのみで考えれば、いずれの季節の場合も、日の出の直後及び日の入りの直前においては、太陽光は水平面に対して小さい角度で入射するので、フレーム２００の傾斜角度は十分に大きくすることが好ましいと考えられる。
【００９２】
しかし、実際には、日の出直後又は日の入り直前などにおいては、図８とは異なった傾斜角度を最適傾斜角度として設定することが好ましい。例えば、夏季においては、北緯３５度付近の地点では、太陽は北東に近い方角から出て、北西に近い方角に沈む。一方、太陽電池パネルは南向きに設置されているのが一般的である。
【００９３】
このため、単純に、一日の各時刻（太陽の高さ）のみでフレームの傾斜角度を設定すると、例えば、午前６時頃においては、夏とはいえ、太陽は、まだ、それほどは高くはない。このため、太陽の高さだけを考慮した場合には、フレーム２００の傾斜角度は、水平面に対して比較的大きな角度を有するような設定となるが、この時間帯では、太陽光は、太陽電池パネルの横方向又は横方向よりも少し後方から太陽電池パネル３００に入射する状態となっている。したがって、このような時間帯においては、太陽電池パネル３００に傾斜角度を設けるよりもむしろ水平に近い状態としている方が、太陽光をより効率よく取り込むことができる。
【００９４】
これは、日の入り前においても同様のことがいえる。例えば、午後６時頃においては、夏とはいえ、太陽は、比較的低い位置となっている。このため、太陽の高さだけを考慮した場合には、太陽電池パネルの傾斜角度は、水平面に対して比較的大きな角度を有するような設定となるが、この時間帯では、太陽光は、太陽電池パネルの横方向又は横方向よりも少し後方から太陽電池パネル３００に入射する状態となっている。したがって、このような時間帯においては、太陽電池パネル３００に傾斜角度を設けるよりもむしろ水平に近い状態としている方が、太陽光をより効率よく取り込むことができる。
【００９５】
このように、一日の各時刻に対応する最適傾斜角度は、太陽電池パネル３００に対する太陽光の入射方向などを考慮して、各時刻ごとの最適傾斜角度を設定することが好ましい。したがって、記憶装置７００には、実際の太陽光の入射方向などを考慮して設定された各時刻に対応する最適傾斜角度を記憶させておくことによって、制御装置６００は傾斜角度可変装置４００をより適切に制御することがき、それによって、太陽光をより効率よく太陽電池パネル３００に取り込むことができる。
【００９６】
［実施形態２］
実施形態１に係る可動庇１０においては、太陽位置情報を太陽位置算出装置９００によって算出する場合を例示したが、実施形態２に係る可動庇２０においては、太陽位置検出センサーを設け、この太陽位置検出センサーによって得られた太陽位置情報に基づいて最適傾斜角度を取得し、取得した最適傾斜角度に基づいて傾斜角度可変装置４００を制御する。
【００９７】
なお、太陽位置検出センサーとしては、例えば、光センサーなどを例示することができる。すなわち、太陽位置検出センサー（光センサー）を特定の場所に設置しておくことによって、太陽の位置に応じて太陽位置検出センサーの出力が異なるので、太陽位置検出センサーの出力を太陽位置情報として用いることができる。
【００９８】
また、太陽位置検出センサーによって得られた太陽光の位置を示す情報に基づいて最適傾斜角度を取得する方法としては、太陽位置情報と最適傾斜角度とを対応付けて記憶装置７００に記憶させておき、制御装置６００が記憶装置７００を参照することによって太陽の位置に応じた最適傾斜角度を取得するようにしてもよく、また、太陽位置検出センサーで検出された太陽位置情報に対応する最適傾斜角度を制御装置６００がリアルタイムで算出するようにしてもよい。
【００９９】
図９は、実施形態２に係る可動庇２０のユニットＵ１〜Ｕ３のうちの１つのユニットＵ１を取り出して拡大して示す図である。図９は図２に対応するものであり、太陽位置検出センサー８００が設けられている点が図２と異なり、その他の構成要素は、図１と同様であるので、同一構成要素には同一符号が付されている。また、実施形態１に係る可動庇２の外観的な構成は実施形態１に係る可動庇１０（図１参照）と同じである。
【０１００】
実施形態２に係る可動庇２０においては、太陽位置情報を太陽位置検出センサー８００から連続的に取得して、取得した太陽位置情報に基づいて連続的に傾斜角度可変装置４００を制御することも可能であるが、一日のうちの所定の時刻ごと（例えば、９時、１２時、１５時など）に太陽位置検出センサー８００からの太陽位置情報を太陽位置検出センサー８００から取得して、取得した太陽位置情報に基づいて所定時刻ごとに傾斜角度可変装置４００を制御するようにしてもよい。また、各月（例えば、当該月の初日など）ごとに太陽位置検出センサー８００から太陽位置情報を取得して、取得した太陽位置情報に基づいて各月ごとに傾斜角度可変装置４００を制御するようにしてもよく、また、季節（例えば、各季節を代表する月）ごとに太陽位置検出センサー８００から太陽位置情報を取得して、取得した太陽位置情報に基づいて季節ごとに傾斜角度可変装置４００を制御するようにしてもよい。
【０１０１】
実施形態２に係る可動庇２０おいても実施形態１に係る可動庇１０と同様に、太陽の位置に応じて太陽電池パネル３００を最適傾斜角度に設定することができる。
【０１０２】
［実施形態３］
実施形態１に係る可動庇１０においては、可動庇１０を一般的な一戸建ての建物１００の軒先に設置する場合を想定したものであるが、実施形態３に係る可動庇においては、可動庇を学校、病院及び役所などの建物（ビルディング）の外壁１２０に取り付けることを可能とする。
【０１０３】
図１０は、実施形態３に係る可動庇３０を説明するための図である。実施形態３に係る可動庇３０においては、傾斜角度可変装置４００の取り付け方が実施形態１に係る可動庇１０と異なる。なお、実施形態３に係る可動庇３０においても、実施形態１に係る可動庇１０と同様に、可動庇３０は、図１０では図示されていないが、３つのユニットＵ１〜Ｕ３によって構成されているものとする。
【０１０４】
実施形態３に係る可動庇３０は、図１０に示すように、傾斜角度可変装置４００のネジ棒４３１が建物１００の外壁１２０の上下方向（ｚ軸）に沿うように取り付けられる。このとき、第１アーム４１０が上側となり、第２アーム４２０が下側となるような位置関係となる。そして、フレーム２００は、実施形態１に係る可動庇１０と同様、第１アーム４１０に取り付けられるが、フレーム２００の後端辺２２０が第１アーム４１０の他端部４１１側となる。また、傾斜角度可変装置４００は、実施形態１に係る可動庇１０と同様に制御装置６００（図１０では図示せず。）によって制御される。
【０１０５】
このような構成とすることにより、ネジ棒４３１が時計方向に回転すると、第１アーム４１０はネジ棒４３１に沿って下方向（矢印ｚ’方向）に移動するため、第１アーム４１０及び第２アーム４２０のなす角度αが小さくなり、フレーム２００の傾斜角度θが小さくなる。また、逆に、ネジ棒４３１が反時計方向に回転すると、第１アーム４１０はネジ棒４３１に沿って上方向（矢印ｚ方向）に移動するため、第１アーム４１０及び第２アーム４２０のなす角度αが大きくなり、フレーム２００の傾斜角度θが大きくなる。
【０１０６】
図１１は、実施形態３に係る可動庇３０においてフレーム２００の傾斜角度θを約２５度とした場合を示す図である。図１１は傾斜角度θを約２５度とした場合であるが、傾斜角度可変装置４００によってフレーム２００の傾斜角度θを所定範囲（ほぼ０度からほぼ９０度）まで自在に変化させることができる。
【０１０７】
なお、実施形態３に係る可動庇３０においては、傾斜角度θを変化させる際のフレーム２００の動きは、その後端辺２２０がネジ棒４３１に沿って（建物の外壁１２０に沿って）、矢印ｚ−ｚ’方向に移動しながら先端辺２１０が同一平面（水平面）上を矢印ｘ−ｘ’方向に移動する。例えば、図１１に示すような小さい傾斜角度θ（θ＝２０度）となっているフレーム２００が、図１０のような大きな傾斜角度θとなるように動作する場合においては、フレーム２００の後端辺２２０がネジ棒４３１に沿って図４における矢印ｚ方向にせり上がりながらフレーム２００の先端辺２１０が同一平面上を矢印ｘ方向に移動して行く。
【０１０８】
このように、実施形態３に係る可動庇においても、フレーム２００がその傾斜角度を変化する動作を行う際は、実施形態１に係る可動庇１０と同様に、フレーム２００の先端辺２１０は同一平面上を移動する。
【０１０９】
フレーム２００がこのような動作を行うため、実施形態１に係る可動庇１０と同様、例えば、冬季において、フレーム２００の傾斜角度θが大きくなった場合であっても、フレーム２００の先端辺２１０の上下方向の位置は変化しない。これにより、建物１００の採光面１１０に入る太陽光が太陽電池パネル３００によって遮られてしまうということがなく、太陽光を室内に十分に取り込むことができる。また、フレーム２００が建物１００に近づいた状態となることによって、より多くの太陽光を室内に取り込むことができる。
【０１１０】
なお、太陽位置情報に対応する傾斜角度可変装置４００の制御については、実施形態１に係る可動庇１０及び実施形態２に係る可動庇２０と同様に行うことができるので、ここではその説明は省略する。
【０１１１】
［実施形態４］
図１２は、実施形態４に係る可動庇４０において用いられる傾斜角度可変装置５００を説明するための図である。なお、図１２においては、１つのユニットＵ１における傾斜角度可変装置５００とフレーム２００及び太陽電池パネル３００のみが示されている。
【０１１２】
実施形態４に係る可動庇４０における傾斜角度可変装置５００は、図１２に示すように、フレーム２００の後端辺２２０が上方向又は下方向に移動可能となるように後端辺２２０と先端辺２１０との間の第１部分（後端辺２２０の両端角部２２１，２２２とする。）を支持する縦方向ガイドレール５３０，５４０と、フレーム２００の先端辺２１０が外壁に近づく方向又は前記外壁から遠ざかる方向に移動可能となるように第１部分よりも先端辺２１０の側の第２部分（先端辺２１０の両端角部２１１，２１２とする。）を支持する横方向ガイドレール５１０，５２０と、フレーム２００を縦方向ガイドレール５３０，５４０及び横方向ガイドレール５１０，５２０に沿って移動させるためのフレーム駆動手段５７０とを有している。
【０１１３】
なお、フレーム２００を横方向ガイドレール５１０，５２０及び縦方向ガイドレール５３０，５４０に沿って円滑に移動させるために、フレーム２００の先端辺２１０の両端角部２１１，２１２及び後端辺２２０の両端角部２２１，２２２に小車輪５５０をそれぞれ設けることが好ましい。
【０１１４】
フレーム駆動手段５７０としては、実施形態１に係る可動庇１０において用いた傾斜角度可変装置４００のアーム駆動手段４３０と同様に、ネジ棒５７１と、ネジ棒５７１を時計方向又は反時計向に回転させるモータ（図１２においては図示せず）と、モータの回転を減速してネジ棒５７１に伝達する動力伝達部（図１２においては図示せず）とによって構成することができる。そして、ネジ棒５７１の先端側５７１ａをフレーム２００の先端辺２１０に螺合させておく。
【０１１５】
このような構成とすることにより、ネジ棒５７１を時計方向又は反時計向に回転させることによりフレーム２００を矢印ｘ−ｘ’方向に移動させることができる。例えば、ネジ棒５７１を時計方向に回転させることにより、フレーム２００の先端辺２１０は横方向ガイドレール５１０，５２０に沿って矢印ｘ方向に移動する。このとき、後端辺２２０は、縦方向ガイドレール５３０，５４０に沿って矢印ｚ方向に上昇する。また、ネジ棒５７１を反時計方向に回転させることにより、フレーム２００の先端辺２１０が横方向ガイドレール５１０，５２０に沿って矢印ｘ’方向に移動する。このとき、後端辺２２０は、縦方向ガイドレール５３０，５４０に沿って矢印ｚ’方向に下降する。
【０１１６】
傾斜角度可変装置５００を図１２に示すような構成としても、上記各実施形態と同様、傾斜角度θを変化させる際のフレーム２００の動きは、フレーム２００の後端辺２２０が縦方向ガイドレール５３０，５４０に沿って矢印ｚ−ｚ’方向に移動しながら先端辺２１０が横方向ガイドレール５１０，５２０に沿って矢印ｘ−ｘ’方向に移動する。すなわち、フレーム２００の先端辺２１０は常に横方向ガイドレール５１０，５２０に沿って移動することとなるため、フレーム２００の先端辺２１０の上下方向（矢印ｚ−ｚ’方向）の位置は変化しない。
このような傾斜角度可変装置５００は、上記した各実施形態に係る可動庇のいずれにも適用可能である。
【０１１７】
なお、本考案は上述の実施形態に限られるものではなく、本考案の要旨を逸脱しない範囲で種々変形実施可能となるものである。たとえば、下記（１）〜（８）に示すような変形実施も可能である。
【０１１８】
（１）実施形態１に係る可動庇１０においては、所定の月日及び時刻を示す情報に対応した最適傾斜角度を取得する場合は、制御装置６００は、当該月日及び時刻を示す情報に対応した最適傾斜角度を記憶装置７００から取得して、取得した最適傾斜角度に基づいて傾斜角度可変装置４００を制御する場合を例示したが、当該月日及び時刻を示す情報などを太陽位置算出装置９００に与えることにより、太陽位置算出装置９００において当該月日及び時刻に対応した太陽位置情報をリアルタイムで算出し、制御装置６００では、太陽位置算出装置９００で算出された現時点の太陽位置情報に基づいて最適傾斜角度を算出して、算出した最適傾斜角度に基づいて傾斜角度可変装置４００を制御するようにしてもよい。
【０１１９】
（２）上記各実施形態では、太陽電池パネルは、９枚の太陽電池パネルで１つのユニットを構成し、また、ユニット数は３ユニットとしたが、これに限られるものではなく、１つのユニットにおける太陽電池パネルの枚数、ユニット数などは、設置スペースの大きさや発電規模などに応じて種々設定可能である。
【０１２０】
（３）上記各実施形態では、太陽電池パネルの発電量すなわち太陽エネルギーの利用効率を優先して傾斜角度可変装置を制御する場合について説明したが、庇としての機能すなわち建物への太陽光の入射量の調節を行う機能を優先して傾斜角度可変装置を制御することも可能であり、また、建物の内部において冷房又は暖房を行っている場合には、当該冷房効率又は暖房効率をより高めることを優先して傾斜角度可変装置を制御することも可能である。
【０１２１】
（４）上記各実施形態においては、太陽の位置に基づく最適傾斜角度としては、例えば、春分の日（秋分の日））の頃においては３５度、夏至の頃においては１２度、冬至の頃においては５９度などというように、当該可動庇を設置する場所において算出される傾斜角度そのものとしたが、当該可動庇を設置する場所において算出される傾斜角度そのものとする必要は必ずしもなく、当該可動庇を設置する場所において算出される傾斜角度を参考として、例えば、冬至の頃は６０度とするというように、おおよその傾斜角度を設定するようにしてもよい。
【０１２２】
（５）実施形態１に係る可動庇１０において用いた傾斜角度可変装置４００は、ネジ棒４３１が水平方向となるように傾斜角度可変装置４００を設置するようにしたが、ネジ棒４３１が多少の傾斜角度を有するように傾斜角度可変装置４００を設置するようにしてもよい。また、実施形態３においては、ネジ棒４３１が垂直方向となるように傾斜角度可変装置４００を設置するようにしたが、この場合も、ネジ棒４３１が多少の傾斜角度を有するように傾斜角度可変装置４００を設置するようにしてもよい。
【０１２３】
また、実施形態４に係る可動庇１０において用いた傾斜角度可変装置５００においても、必ずしも、縦方向ガイドレール５３０，５４０が建物１００の外壁１２０に沿って垂直方向となるように傾斜角度可変装置５００を設置する必要はなく、多少の傾斜角度を有した状態で傾斜角度可変装置５００を設置するようにしてもよい。
【０１２４】
（６）傾斜角度可変装置は実施形態１に係る可動庇１０において説明した傾斜角度可変装置４００及び実施形態４に係る可動庇４０において用いた傾斜角度可変装置５００に限られるものではない。
例えば、傾斜角度可変装置４００のアーム駆動手段４３０としては、油圧によって第１アーム４１０をｘ−ｘ’方向（例えば、図３参照。）に移動させるような駆動手段を採用したものであってよく、また、ラックとピニオンにより第１アーム４１０をｘ−ｘ’方向に移動させるような駆動手段を採用したものであってもよい。
【０１２５】
また、実施形態４に係る可動庇４０において用いた傾斜角度可変装置５００のフレーム駆動手段５７０においても同様に、油圧によってフレーム２００をｘ−ｘ’方向（図１２参照。）に移動させるような駆動手段を採用したものであってよく、また、ラックとピニオンによりフレーム２００をｘ−ｘ’方向に移動させるような駆動手段を採用したものであってもよい。
【０１２６】
また、傾斜角度可変装置４００における第１アーム４１０と第２アーム４２０は、二等辺三角形のそれぞれ等辺に対応するものとして、両者を同じ長さとしたが、両者を同じ長さとする必要は必ずしもなく、例えば、第１アーム４１０を第２アーム４２０に比べて長くすることも可能である。
【０１２７】
また、傾斜角度可変装置４００においては、第１アーム４１０のみがｘ−ｘ’方向（例えば、図３参照。）に移動可能であったが、第２フレーム４２０のみをｘ−ｘ’方向（例えば、図３参照。）に移動可能としてもよく、また、第１アーム４１０及び第２アーム４２０の両方をｘ−ｘ’方向（例えば、図３参照。）に移動可能としてもよい。
【０１２８】
また、傾斜角度可変装置５００は、図１２においては、縦方向ガイドレール５３０，５４０は、フレームの後端辺２２０の両端角部２２１，２２２を支持し、横方向ガイドレール５１０，５２０は、フレームの先端辺２１０の両端角部２１１，２１２を支持する構成としたが、必ずしも、両端角部２２１，２２２及び両端角部２１１，２１２を支持する必要はなく、フレーム２００の後端辺２２０と先端辺２１０との間の所定の２箇所を指示するような構成であればよい。例えば、縦方向ガイドレール５３０，５４０は、フレーム２００の後端辺２２０から先端辺２１０までの間の中間位置と後端辺２２０との間の所定位置を支持し、横方向ガイドレール５１０，５２０は、フレーム２００の後端辺２２０から先端辺２１０までの間の中間位置と先端辺２１０との間の所定位置を支持するような構成とすることも可能である。
【０１２９】
また、傾斜角度可変装置５００は、図１２おいては、フレーム２００の両側に縦方向ガイドレール５３０，５４０及び横方向ガイドレール５１０，５２０を設けた構成としたが、フレーム２００の中央部材２４０に対向する位置に一本の横方向ガイドレール（図示せず。）及び縦方向ガイドレール（図示せず。）を設けて、これら一本の横方向ガイドレール及び縦方向ガイドレールでフレーム２００を滑動自在に支持するような構成としてもよい。
【０１３０】
また、傾斜角度可変装置５００は、図１２においては、縦方向ガイドレール５３０，５４０の端部と横方向ガイドレール５１０，５２０の端部とが直交する形状（Ｌ字形状）をなすような構成としたが、縦方向ガイドレール５３０，５４０と横方向ガイドレール５１０，５２０との間に湾曲部が形成されるような構成としてもよい。例えば、縦方向ガイドレール５３０と横方向ガイドレール５１０とが途中に湾曲部を有して連続した一本のガイドレールとして構成されるようにし、また、縦方向ガイドレール５４０と横方向ガイドレール５２０とが途中に湾曲部を有して連続した一本のガイドレールとして構成されるようにしてもよい。傾斜角度可変装置５００をこのような構成としても、フレーム２００の傾斜角度を所定範囲で変化させることができる。
【０１３１】
また、傾斜角度可変装置としては、これら以外にも種々のものが考えられる。例えば、傾斜角度可変装置の側面の外形が、上端辺と下端辺と２つの斜辺とを有する台形状の四辺形をなすよう構成としてもよい。この場合、上端辺と下端辺と２つの斜辺とに対応するそれぞれのアームを設け、これら各アームのうちの隣接するアームの各端部が回動自在となるように各アームを連結して構成とする。そして、四辺形の上端辺にフレーム２００が載置される。なお、台形状を維持するのはフレームが水平（傾斜角度が０度）である場合においては四辺形は台形となっており、２つの斜辺に対応するアームの傾きを変化させると、台形の形状が崩れ、それによって、上端辺に対応するアームの傾きが変化する。これにより、フレームの傾斜角度を変化させることができる。傾斜角度可変装置をこのような構成としてもフレームの傾斜角度を変化させることができる。
【０１３２】
（７）上記各実施形態においては、太陽エネルギー利用装置として、太陽光発電装置（太陽電池パネル）を例にとって説明したが、その他の太陽エネルギー利用装置として例えば、太陽熱発電装置、太陽熱給湯装置などであってもよい。また、太陽電池パネル、太陽熱発電装置及び太陽熱給湯装置などを組み合わせて用いた場合であってもよい。
【０１３３】
（８）上記各実施形態においては、フレーム２００傾斜角度を制御装置６００の制御信号に基づいて傾斜角度可変装置６００が自動的に行うようにしたが、制御装置６００によって算出又は取得された最適傾斜角度により、人間が手動でフレーム２００の傾斜角度を最適傾斜角度とするようにフレーム２００の傾斜角度を変化させるようにしてもよい。また、人間が傾斜角度可変装置６００を操作してフレーム２００の傾斜角度が最適傾斜角度となるようにしてもよい。
【符号の説明】
【０１３４】
１００・・・建物、１１０・・・採光面、１２０・・・外壁、２００・・・フレーム、２１０・・・先端辺、２２０・・・後端辺、２４０・・・中央部材、３００・・・太陽電池パネル、４００，５００・・・傾斜角度可変装置、４１０・・・第１アーム、４２０・・・第２アーム、４３０・・・アーム駆動手段、４３１・・・ネジ棒、４３２・・・モータ、４３３・・・動力伝達装置、５１０，５２０・・・横方向ガイドレール、５３０，５４０・・・縦方向ガイドレール、５７０・・・フレーム駆動手段、６００・・・制御装置、７００・・・記憶装置、８００・・・太陽位置検出センサー、９００・・・太陽位置算出装置
【図１】
0003156066.tif 000003
【図２】
0003156066.tif 000004
【図３】
0003156066.tif 000005
【図４】
0003156066.tif 000006
【図５】
0003156066.tif 000007
【図６】
0003156066.tif 000008
【図７】
0003156066.tif 000009
【図８】
0003156066.tif 000010
【図９】
0003156066.tif 000011
【図１０】
0003156066.tif 000012
【図１１】
0003156066.tif 000013
【図１２】
0003156066.tif 000014